(57)【要約】【課題】導電部が一対の接点の双方と確実に接触でき、該導電部が一対の接点同士を確実に電気的に接続できる接点構造及び該接点構造を備えた電子機器を提供する。【解決手段】ＡＶ機器１は操作部７を備えている。操作部７は機器本体２の前面２ａに設けられた押しボタン１１を備えている。押しボタン１１は操作部用孔１３に収容されたボタン本体４０と接点構造１４を備えている。接点構造１４は印刷配線板１９と一対の接点２０ａ，２０ｂとゴム板２１と導電板２３を備えている。接点２０ａ，２０ｂは印刷配線板１９に設けられている。ゴム板２１はボス部２６を備えている。ボス部２６は接点２０ａ，２０ｂと相対する平行部２９を備えている。導電板２３は平行部２９に貼り付けられる平板部３２と変形片３３を備えている。変形片３３は平板部３２の外縁に設けられている。【選択図】図２
2006286332.tif 000002
【特許請求の範囲】
【請求項１】
基板上に形成されかつ互いに間隔をあけて配された一対の接点と、
弾性体により前記接点に接離自在に設けられた導電部と、を備え、
前記弾性体の弾性復元力に抗して前記導電部を前記一対の接点に近づけると、前記導電部が一対の接点の双方に接触して、該一対の接点同士が電気的に接続する接点構造において、
前記導電部が前記一対の接点に向かって押圧されると、前記導電部の接点との接触面積が増加するように弾性変形する変形部を前記導電部に設けたことを特徴とする接点構造。
【請求項２】
前記導電部が、前記一対の接点の表面と平行に配される平板部を備え、
前記変形部が、前記平板部の外縁に設けられたことを特徴とする請求項１記載の接点構造。
【請求項３】
前記変形部が、前記平板部の外縁から前記一対の接点に近づくのにしたがって徐々に平板部の外側に向かって形成されたことを特徴とする請求項２記載の接点構造。
【請求項４】
前記変形部が、前記平板部の周方向に沿って複数並設されたことを特徴とする請求項３記載の接点構造。
【請求項５】
請求項１ないし請求項４のうちいずれか一項に記載の接点構造を備えた押しボタンを有することを特徴とする電子機器。
【発明の詳細な説明】
【技術分野】
【０００１】
本発明は、例えば、ＡＶ機器などの各種の電子機器の押しボタンが押圧されたか否かを検出するための接点構造及び該接点構造を備えた押しボタンを有する電子機器に関する。
【背景技術】
【０００２】
例えば、ＣＤ（Compact Disk）などの光ディスクに記録された情報を読み出して、再生するＡＶ機器などの電子機器は、機器本体と、該機器本体内に収容されかつ前記ＣＤなどの光ディスクをクランプして該光ディスクから情報を読み出す再生部と、前記機器本体の表面に設けられかつ各種の操作を行う際に用いられる操作部とを備えている。
【０００３】
前述した操作部は、前記機器本体の外側に露出するとともに前記機器本体の外表面から突没自在に設けられて使用者などに押圧される押圧部と、該押圧部が押圧されたか否かを検出する接点構造と、を備えている。
【０００４】
接点構造は、前述した機器本体内に収容された印刷配線板上に形成されかつ互いに間隔をあけて配された一対の接点と、弾性体により前記接点に接離自在に設けられた導電部とを備えている。導電部の平面形状は、円形である。導電部は、ゴムなどの弾性変形自在な合成樹脂に導体で構成される粉などが混入されて得られる。即ち、導電部は、導電性のゴムとなっている。
【０００５】
前述した接点構造は、押圧部が押圧されると、該押圧部により導電部が弾性体の弾性復元力に抗して前記一対の接点に向かって押圧される。すると、接点構造は、導電部が一対の接点の双方に接触して、該一対の接点が互いに電気的に接続する。このように、接点構造は、導電部が一対の接点同士を電気的に接続するか否かで、前述した押圧部が押圧されたか否かを検出できるようにしている。
【発明の開示】
【発明が解決しようとする課題】
【０００６】
前述した従来の接点構造では、例えば、導電部と一対の接点とが互いに相対する方向に対し交差する方向に沿って、押圧部が押圧されることがある。例えば、押圧部が均一に押圧されなかった場合には導電部が傾いた状態となることがある。このとき、導電部と一対の接点即ち印刷配線板との接触面の形状が、例えば三日月形状などの円形と異なる形状になることがある。
【０００７】
すると、導電部が、一対の接点のうちいずれか一方のみに接触して他方に接触できなかったり、一対の接点のうちいずれか一方との接触が不安定になることがあった。このため、前述した押圧部が押圧されても、前述した接点構造は、一対の接点同士を確実に接続できずに、押圧部が押圧されていることを検出できなかった。
【０００８】
したがって、本発明の目的は、例えば、導電部が一対の接点の双方と確実に接触でき、該導電部が一対の接点同士を確実に電気的に接続できる接点構造及び該接点構造を備えた電子機器を提供することにある。
【課題を解決するための手段】
【０００９】
前述した課題を解決し目的を達成するために、請求項１に記載の本発明の接点構造は、基板上に形成されかつ互いに間隔をあけて配された一対の接点と、弾性体により前記接点に接離自在に設けられた導電部と、を備え、前記弾性体の弾性復元力に抗して前記導電部を前記一対の接点に近づけると、前記導電部が一対の接点の双方に接触して、該一対の接点同士が電気的に接続する接点構造において、前記導電部が前記一対の接点に向かって押圧されると、前記導電部の接点との接触面積が増加するように弾性変形する変形部を前記導電部に設けたことを特徴としている。
【発明を実施するための最良の形態】
【００１０】
以下、本発明の一実施形態を説明する。本発明の一実施形態にかかる接点構造は、導電部に接点との接触面積が増加するように弾性変形する変形部を設けている。こうすることで、導電部と一対の接点とが相対する方向に対し交差する方向に沿って、導電部が一対の接点に向かって押圧されても、変形部が弾性変形して、導電部の接点との接触面積を増加させて、導電部が一対の接点の双方に確実に接触する。こうして、導電部が一対の接点同士を確実に電気的に接続できるようにしている。
【００１１】
また、導電部が平板部を備え、変形部が平板部の外縁に設けられても良い。
【００１２】
さらに、変形部が、平板部の外縁から一対の接点に近づく方向にしたがって、徐々に平板部の外側に向かって延びていても良い。
【００１３】
また、変形部が、平板部の周方向に沿って、複数並設されても良い。
【実施例】
【００１４】
本発明の一実施例を、図１ないし図７に基づいて説明する。本発明の一実施例に係る電子機器としてのＡＶ（Audio-Visual）機器１は、移動体としての自動車のインストルメントパネル（以下、インパネと呼ぶ）などに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。
【００１５】
ＡＶ機器１は、図１に示すように、機器本体２と、再生装置としてのＣＤ（Compact Disk）プレーヤ３と、再生装置としてのＭＤ（Mini disc）プレーヤ４と、ラジオ放送を受信するＡＭ／ＦＭチューナ５と、表示部６と、操作部７とを備えている。
【００１６】
機器本体２は、箱状に形成されかつ前述したインパネに取り付けられる。機器本体２の図１中手前側に位置する一つの面２ａ（以下、前面と呼ぶ）には、ＣＤ用挿入口８と、ＭＤ用挿入口９と、操作部用孔１３（図２に示す）とが開口している。なお、前面２ａは、機器本体２がインパネに取り付けられると、外部に露出するとともに乗員（使用者ともいう）に相対する面である。ＣＤ用挿入口８は、内側にＣＤを通して、該ＣＤを機器本体２即ちＣＤプレーヤ３に出し入れする。ＭＤ用挿入口９は、内側にＭＤを通して、該ＭＤを機器本体２即ちＭＤプレーヤ４に出し入れする。操作部用孔１３は、前記前面２ａを貫通している。操作部用孔１３は、操作部７の後述する押しボタン１１を収容する。
【００１７】
ＣＤプレーヤ３は、機器本体２に挿入されたＣＤの情報を読み出して、音声として出力する。ＭＤプレーヤ４は、機器本体２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する押しボタン１１等を使用者が押圧することによって動作する。
【００１８】
表示部６は、前述した前面２ａに取り付けられた蛍光表示管などからなる情報を表示する表示パネル１０を備えている。表示部６は、表示パネル１０に再生中のＣＤやＭＤのプログラムやチューナ５が受信中の放送局名などの情報を表示する。
【００１９】
操作部７は、一つの複合スイッチ１２と、複数の押しボタン１１とを備えている。複合スイッチ１２は、前記前面２ａに対し直交する方向に沿って移動自在に設けられ、かつ前面２ａに対し直交する軸芯回り回転自在に支持された操作ノブ１５などを備えている。操作ノブ１５は、前面２ａから突出する方向に付勢されているとともに、前記前面２ａなどに係止して該前面２ａから脱落することが規制されている。
【００２０】
複合スイッチ１２は、操作ノブ１５が押圧されることで、ＡＶ機器１全体の電源をオン・オフし、操作ノブ１５が軸芯回りに回転されることで、再生中又は受信中のプログラムの音量を調整するために用いられる。
【００２１】
押しボタン１１は、図２に示すように、ボタン本体４０と、接点構造１４とを備えている。ボタン本体４０は、平面形状が矩形状の正面板１６と、該正面板１６の外縁から立設した複数の周板１７を備えている。周板１７の内面には、該内面から凸の係止爪１８が設けられている。押しボタン１１は、正面板１６が前面２ａと平行でかつ該前面２ａより露出する状態で、操作部用孔１３内に収容されている。押しボタン１１は、正面板１６が前面２ａから突没自在に、前記操作部用孔１３即ち機器本体２にスライド自在に支持されている。図示例では、押しボタン１１は、複数（四つ）設けられている。
【００２２】
接点構造１４は、図２に示すように、印刷配線板１９と、一対の接点２０ａ，２０ｂと、弾性体としてのゴム板２１と、スライド部材２２と、導電部としての導電板２３を備えている。
【００２３】
印刷配線板１９は、機器本体２内に収容されている。印刷配線板１９は、前面２ａの近傍に配されている。印刷配線板１９は、絶縁性の基板２４と、該基板２４の表面に形成された配線パターンとを備えている。基板２４は、その両表面が前記前面２ａと平行に配されている。基板２４には、図示しない各種の電子部品などが実装されている。配線パターンは、銅などの導電性の金属で構成されている。配線パターンは、箔状に形成されて、基板の表面に貼り付けられている。配線パターンは、前述した電子部品同士を予め定められたパターンにしたがって電気的に接続している。
【００２４】
一対の接点２０ａ，２０ｂは、複数（対）設けられている。一対の接点２０ａ，２０ｂは、それぞれ、押しボタン１１に対応して設けられている。押しボタン１１一つに対して、一対の接点２０ａ，２０ｂが対応している。一対の接点２０ａ，２０ｂは、対応する押しボタン１１の幅方向Ｘの一端部と、前面２ａに対し直交する方向（即ち押しボタン１１のスライド方向）に沿って、並べられている。
【００２５】
一対の接点２０ａ，２０ｂは、それぞれ、前述した配線パターンの一部であり、勿論、印刷配線板１９の基板２４の前面２ａ側の表面に設けられている。一対の接点２０ａ，２０ｂは、互いに間隔をあけている。即ち、接点２０ａ，２０ｂ同士は、電気的に絶縁されている。一対の接点２０ａ，２０ｂは、対応する押しボタン１１が押圧されたか否かを検出する検出回路に接続している。
【００２６】
ゴム板２１は、絶縁性と弾性との双方を有する合成樹脂で構成されている。ゴム板２１は、印刷配線板１９の基板２４の前面２ａ側の表面に重ねられている。ゴム板２１は、平板部２５と、ボス部２６とを一体に備えている。平板部２５は、平板状に形成され、印刷配線板１９の基板２４の表面に重ねられて、該印刷配線板１９と密に接触する。
【００２７】
ボス部２６は、平板部２５が印刷配線板１９に重ねられた際に、接点２０ａ，２０ｂと重なる位置（即ち接点２０ａ，２０ｂと対応する位置）に設けられている。則ち、ボス部２６は、接点２０ａ，２０ｂと同数（則ち複数）設けられている。ボス部２６は、接点２０ａ，２０ｂを囲むとともに前記平板部２５を貫通した収容孔２７と、該収容孔２７の内縁から立設した立設部２８と、立設部２８の端に連なる平行部２９とを備えている。
【００２８】
収容孔２７の平面形状は、丸形である。収容孔２７は、一対の接点２０ａ，２０ｂを収容する。立設部２８は、収容孔２７の縁から前面２ａ即ち押しボタン１１に向かって延在している。立設部２８は、収容孔２７の全周に設けられている。立設部２８は、押しボタン１１に向かうにしたがって収容孔２７の内径が小さくなる方向に、傾斜している。即ち、立設部２８は、外形が裁頭円錐状に形成されている。平行部２９は、円柱状に形成されており、立設部２８の押しボタン１１寄りの端に連なっている。平行部２９は、接点２０ａ，２０ｂと間隔をあけている。平行部２９は、印刷配線板１９即ち接点２０ａ，２０ｂと相対する表面に導電板２３を貼り付けている。
【００２９】
ボス部２６は、収容孔２７と立設部２８と平行部２９とが互いに同軸に配されている。ボス部２６は、平行部２９が接点２０ａ，２０ｂに向かって押圧されると、主に立設部２８が弾性変形して、平行部２９が接点２０ａ，２０ｂに近づくことを許容する。即ち、ゴム板２１は、その平行部２９を接点２０ａ，２０ｂに接離自在に設けている。接離とは、近づいたり離れることを示している。また、ゴム板２１は、印刷配線板１９に重ねられて、操作部用孔１３と押しボタン１１との間などから浸入した水などの液体が印刷配線板１９に付着することを防止する。
【００３０】
スライド部材２２は、複数設けられている。スライド部材２２は、それぞれ、押しボタン１１に対応して設けられている。押しボタン１１一つに対して、スライド部材２２が一つ対応している。スライド部材２２は、操作部用孔１３内に収容されている。スライド部材２２は、操作部用孔１３の内面に係止する図示しない係止爪と、押しボタン１１の係止爪１８が係止する係止突起３０と、押圧部３１とを備えている。
【００３１】
係止爪は、操作部用孔１３の内面に係止するとともに、前面２ａに直交する方向即ち押しボタン１１のスライド方向に沿って、スライド自在に操作部用孔１３の内面に支持されている。また、係止爪は、スライド部材２２が前面２ａ側に操作部用孔１３内から脱落することを規制している。係止突起３０は、前面２ａ側の縁に設けられており、前述した押しボタン１１の係止爪１８が係止する。係止爪１８と係止突起３０によって、スライド部材２２は、押しボタン１１とともに（一体に）、前面２ａに対し直交する方向に沿ってスライドする。
【００３２】
押圧部３１は、押しボタン１１の幅方向Ｘの一端部とボス部２６との間に配置されている。即ち、押圧部３１は、前面２ａに対し直交する方向即ち押しボタン１１のスライド方向に沿って、押しボタン１１の幅方向Ｘの一端部とボス部２６との双方と並べられている。押圧部３１は、ボス部２６の平行部２９の前面２ａ寄りの表面に接触する。
【００３３】
前述した構成によれば、スライド部材２２即ち押しボタン１１は、ゴム板２１のボス部２６により前面２ａより突出した状態に位置付けられる。
【００３４】
導電板２３は、ゴムなどの弾性を有する合成樹脂にカーボンなどの導体で構成される粉が混入されて構成されている。即ち、導電板２３は、導電性と弾性との双方を有する。導電板２３は、図３及び図４に示すように、平板部３２と、変形部としての変形片３３とを一体に備えている。
【００３５】
平板部３２は、円板状に形成されている。平板部３２の外径は、平行部２９の外径と等しい。平板部３２は、ゴム板２１のボス部２６の平行部２９の接点２０ａ，２０ｂと相対する表面に貼り付けられている。このため、平板部３２は、一対の接点２０ａ，２０ｂの表面と平行に配置される。また、平板部３２則ち導電板２３は、ゴム板２１などによって、一対の接点２０ａ，２０ｂに接離自在に設けられている。さらに、平板部３２がボス部２６の平行部２９に貼り付けられているので、導電板２３は、ボス部２６則ち接点２０ａ，２０ｂと同数（則ち複数）設けられている。
【００３６】
平板部３２則ち導電板２３は、ゴム板２１の弾性復元力に抗して、スライド部材２２の押圧部３１などから接点２０ａ，２０ｂに向かって押圧されると、一対の接点２０ａ，２０ｂの双方に接触して、該一対の接点２０ａ，２０ｂ同士を電気的に接続する。
【００３７】
変形片３３は、平板部３２の外縁に設けられている。変形片３３は、一対の接点２０ａ，２０ｂに近づくのにしたがって、平板部３２の外縁から徐々に平板部３２の外側に向かって形成されている。また、変形片３３は、一つの導電板２３に二つ（複数）設けられている。これら二つの変形片３３は、平板部３２の周方向に沿って互いに間隔をあけている。則ち、変形片３３は、平板部３２則ち導電板２３の周方向に沿って互いに間隔をあけて複数並設されている。図示例では、変形片３３は、平板部３２の外縁の全周に連なる裁頭円錐状の部材の一部にスリットが形成された格好をなしている。
【００３８】
前述した変形片３３は、導電板２３が接点２０ａ，２０ｂに接触して、更に接点２０ａ，２０ｂに向かって押圧されると、図５（ａ）及び（ｂ）に示す弾性変形していない中立状態から図６（ａ）及び（ｂ）に示すように、導電板２３の接点２０ａ，２０ｂ則ち印刷配線板１９との接触面積Ｓ（図７に示す）を拡げる方向に弾性変形する。
また、押しボタン１１が均一に押下されなかった場合に図５（ａ）の点線Ａで示す押下方向に対して導電板２３が斜めに傾いた状態となり、従来の平板部３２のみで構成された導電板２３ａでは、図９に示すように、接点２０ｂしか接触されない場合があった。しかし、本実施形態の導電板２３では、変形片３３が弾性変形して接点との接触面積を拡げる方向に弾性変形するため、図８に示すように、弾性変形された変形片３３により導電板２３の接触面積Ｓが拡がり、接点２０ａ，２０ｂ双方に接触が可能となる。
【００３９】
前述した構成の接点構造１４は、押しボタン１１が使用者により押圧されることにより、ゴム板２１の弾性復元力に抗して、スライド部材２２の押圧部３１が平行部２９を、導電板２３が接点２０ａ，２０ｂに近づく方向に押圧する。すると、導電板２３が、一対の接点２０ａ，２０ｂ双方に接触して、該一対の接点２０ａ，２０ｂ同士を電気的に接続する。接点構造１４は、押しボタン１１が使用者などから押圧されなくなると、ゴム板２１の弾性復元力によって、導電板２３が一対の接点２０ａ，２０ｂから離れるとともに、ゴム板２１が押圧部３１を押圧して、押しボタン１１を前面２ａから突出させる。
【００４０】
このように、押しボタン１１が操作されることにより、機器本体３内に収容された各種プレーヤ３，４やチューナ５等が動作する。
【００４１】
また、前述したＡＶ機器１は、前述した押しボタン１１を光輝させるための光源としてのＬＥＤ（Light Emitting Diode）３４を印刷配線板１９に実装しているとともに、該ＬＥＤ３４の光を押しボタン１１に導く導光板３５をゴム板２１とスライド部材２２との間に設けている。
【００４２】
本実施例によれば、導電板２３に一対の接点２０ａ，２０ｂとの接触面積Ｓが増加するように弾性変形する変形片３３を設けている。このため、導電板２３と一対の接点２０ａ，２０ｂとが相対する方向に対し交差する方向に沿って、導電板２３が一対の接点２０ａ，２０ｂに向かって押圧されても、例えば、図８に示すように、導電板２３が斜めに傾いた状態で一対の接点２０ａ，２０ｂに向かって押圧されても、変形片３３が弾性変形して、該変形片３３が導電板２３の接点との接触面積Ｓを、図７中の平行斜線に示すように、増加させる。なお、図７中の点線は、従来の平板部３２のみで構成された導電板２３ａ（図９に示す）の接触面Ｓ０を示している。したがって、導電板２３が一対の接点２０ａ，２０ｂの双方に確実に接触でき、導電板２３が一対の接点２０ａ，２０ｂ同士を確実に電気的に接続できる。
【００４３】
また、変形片３３が平板部３２の外縁に設けられているので、該変形片３３が導電板２３の一対の接点２０ａ，２０ｂとの接触面積Ｓを確実に増加させることができる。
【００４４】
さらに、平板部３２の外側に向かって形成されているので、変形片３３は、一対の接点２０ａ，２０ｂに接触すると、導電板２３の外側に拡がるように、弾性変形することとなる。したがって、変形片３３が導電板２３の一対の接点２０ａ，２０ｂとの接触面積Ｓをより確実に増加させることができる。
【００４５】
平板部３２の周方向に沿って複数設けられているので、変形片３３が、導電板２３の全周に亘って該導電板２３の一対の接点２０ａ，２０ｂとの接触面積Ｓを増加させることとなる。したがって、導電板２３が一対の接点２０ａ，２０ｂの双方により確実に接触でき、導電板２３が一対の接点２０ａ，２０ｂ同士をより確実に電気的に接続できる。
【００４６】
ＡＶ機器１は、前述した接点構造１４を備えているので、導電板２３が一対の接点２０ａ，２０ｂ同士を確実に電気的に接続できる。
【００４７】
また、本発明では、図８に示すように、変形片３３を導電板２３の平板部３２の外縁に設ければ、該変形片３３を平板部３２の外側に拡がる方向でなく、平板部３２の外縁から接点２０ａ，２０ｂに向かって突出させても良い。
【００４８】
さらに、本発明では、図９に示すように、変形片３３を、三つ以上設けて、これらの変形片３３を平板部３２の周方向に沿って互いに間隔をあけて配置しても良い。なお、図示例では、複数の変形片３３を平板部３２の周方向に沿って等間隔に配置している。
【００４９】
前述した実施例では、電子機器として自動車に取り付けられるＡＶ機器１を示している。しかしながら、本発明では、ＡＶ機器１に限らず、種々の電子機器に適用しても良い。
【００５０】
前述した実施例によれば、以下の接点構造１４及びＡＶ機器１が得られる。
【００５１】
（付記１）  基板２４上に形成されかつ互いに間隔をあけて配された一対の接点２０ａ，２０ｂと、
ゴム板２１により前記接点２０ａ，２０ｂに接離自在に設けられた導電板２３と、を備え、
前記ゴム板２１の弾性復元力に抗して前記導電板２３を前記一対の接点２０ａ，２０ｂに近づけると、前記導電板２３が一対の接点２０ａ，２０ｂの双方に接触して、該一対の接点２０ａ，２０ｂ同士が電気的に接続する接点構造１４において、
前記導電板２３が前記一対の接点２０ａ，２０ｂに向かって押圧されると、前記導電板２３の接点２０ａ，２０ｂとの接触面積Ｓが増加するように弾性変形する変形片３３を前記導電板２３に設けたことを特徴とする接点構造１４。
【００５２】
（付記２）  前記導電板２３が、前記一対の接点２０ａ，２０ｂの表面と平行に配される平板部３２を備え、
前記変形片３３が、前記平板部３２の外縁に設けられたことを特徴とする付記１記載の接点構造１４。
【００５３】
（付記３）  前記変形片３３が、前記平板部３２の外縁から前記一対の接点２０ａ，２０ｂに近づくのにしたがって徐々に平板部３２の外側に向かって形成されたことを特徴とする付記２記載の接点構造１４。
【００５４】
（付記４）  前記変形片３３が、前記平板部３２の周方向に沿って複数並設されたことを特徴とする付記３記載の接点構造１４。
【００５５】
（付記５）  付記１ないし付記４のうちいずれか一項に記載の接点構造１４を備えた押しボタン１１を有することを特徴とするＡＶ機器１。
【００５６】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５７】
【図１】本発明の一実施例にかかる接点構造を備えたＡＶ機器を示す斜視図である。
【図２】図１に示されたＡＶ機器の接点構造などを示す断面図である。
【図３】図２に示された接点構造の導電板を示す平面図である。
【図４】図３に示された導電板の側面図である。
【図５】図２に示された導電板が接点と間隔をあけている状態を示す説明図であり、（ａ）は、導電板が接点と間隔をあけている状態の断面図であり、（ｂ）は図５（ａ）に示された導電板の平面図である。
【図６】図２に示された導電板が接点と接触している状態を示す説明図であり、（ａ）は、導電板が接点と接触している状態の断面図であり、（ｂ）は図６（ａ）に示された導電板の平面図である。
【図７】図２に示された導電板の接点と接触した際に、接触面が三日月状である場合を示す説明図である。
【図８】図３に示された接点構造の導電板が傾いて接点に接触する状態を示す断面図である。
【図９】従来の接点構造の導電板が傾いて接点に接触する状態を示す断面図である。
【図１０】図５（ａ）に示された導電板の変形例を示す断面図である。
【図１１】図３に示された導電板の他の変形例を示す平面図である。
【符号の説明】
【００５８】
１  ＡＶ機器
１１  押しボタン
１４  接点構造
１９  印刷配線板
２０ａ，２０ｂ  接点
２１  ゴム板（弾性体）
２３  導電板（導電部）
２４  基板
３２  平板部
３３  変形片（変形部）
Ｓ  接触面積
【図１】
2006286332.tif 000003
【図２】
2006286332.tif 000004
【図３】
2006286332.tif 000005
【図４】
2006286332.tif 000006
【図５】
2006286332.tif 000007
【図６】
2006286332.tif 000008
【図７】
2006286332.tif 000009
【図８】
2006286332.tif 000010
【図９】
2006286332.tif 000011
【図１０】
2006286332.tif 000012
【図１１】
2006286332.tif 000013